(57)【要約】【課題】装飾品としてデザイン、寸法あるいは材質等の設計的な制約を受けることなく、金等の貴金属を、チタンまたはチタン合金で構成された軸の端部に、抜け止め防止可能に強固に固定する。【解決手段】装飾品部３が軸本体２の一端に固定されるピアス軸１であって、軸本体２は、チタンまたはチタン合金からなると共に、軸本体２の一端近傍の周面にピアス軸１の中心に向かって凹む溝４を有し、装飾品部３は、軸本体２の一端の端面を覆うキャップ状に形成された貴金属で構成され、溝４に沿ってその外側から外力を加えられることにより変形し、軸本体２にカシメ固定された部材である。【選択図】　　　図１
2004097329.tif 000002
【特許請求の範囲】
【請求項１】
装飾品部が軸本体の一端に固定されるピアス軸において、
上記軸本体は、チタンまたはチタン合金からなると共に、上記軸本体の一端近傍の周面に上記ピアス軸の中心に向かって凹む溝を有し、
上記装飾品部は、上記軸本体の一端の端面を覆うキャップ状に形成された貴金属で構成され、上記溝に沿ってその外側から外力を加えられることにより変形し、上記軸本体にカシメ固定された部材であることを特徴とするピアス軸。
【請求項２】
前記軸本体の一端にカシメ固定された前記装飾品部に、さらに金ろう付けにより装飾品が取り付けられることを特徴とする請求項１記載のピアス軸。
【発明の詳細な説明】
【０００１】
【発明の属する技術分野】
本発明は、ピアス軸に関する。
【０００２】
【従来の技術】
従来のピアスの中には、いわゆる金属アレルギーを防止するため、耳朶に形成された孔に挿通させる軸を、チタン合金もしくはチタンまたはセラミックで形成したものが存在する（例えば、特許文献１参照。）。
【０００３】
【特許文献１】
特開平９−３２７３０９号公報
【０００４】
【発明が解決しようとする課題】
上述の特許文献１では、チタン合金等で構成された軸の端面に、貴金属の装飾品が取り付けられた金製のホルダーが、圧入によって固定されたピアスが開示されている。このように、圧入により金製のホルダーを軸の端面に固定する場合、材質的、圧入による固定強度が低くならざるを得ず、ホルダーが軸から外れ易いという問題がある。ホルダーを軸から外れにくくするためには、ホルダーの構造を抜けにくいものとしたり、ホルダーを強固な圧入に耐え得る別の材質で構成したり、あるいは圧入後にさらにろう付けをする等の工夫が必要となる。
【０００５】
例えば、その方法の１つとして、ホルダーの軸端面を挿入する孔を軸方向（圧入方向）に長く構成し、軸との圧接面の面積を大きくとって、高い摩擦力により抜けにくくすることが考えられる。しかし、この方法を採用すると、圧入による固着が強固なものではないため、長期的に見ると緩んで抜ける可能性がある。また、ホルダーの材質が柔らかいので、圧入時にホルダーを損傷しやすい。しかも、圧入距離が長いため、圧入作業が困難である。また、ホルダーの軸方向における寸法が長くなるという、デザイン的な制約を受けることにもなる。さらに、固着強度を高めるためにろう付けを行う場合、熱によりホルダーが膨張し、ホルダーが軸から抜けてしまうという不具合が生じる可能性もある。
【０００６】
また、他の方法としては、特に、上述の方法のように圧入方向における寸法を大きくとる構成とせず、ホルダー部材自体を金製以外のもっと強度の高い別の材質で構成することにより、強い力で圧入してもホルダーが損傷しない構成とすることも考えられる。しかし、この方法を採用すると、装飾品としての価値の高い貴金属をホルダーとして使用できないため、見栄えが悪いという問題がある。加えて、この方法を採用した場合にも、固着強度を高めるためにろう付けを行うと、熱によりホルダーが膨張し、ホルダーが軸から抜けてしまうという不具合が生じる可能性がある。
【０００７】
本発明の目的は、上述の問題点に鑑みて、装飾品としてデザイン、寸法あるいは材質等の設計的な制約を受けることなく、金等の貴金属を、チタンまたはチタン合金で構成された軸の端部に、抜け止め防止可能に強固に固定できるピアス軸を提供することにある。
【０００８】
【課題を解決するための手段】
かかる目的を達成するため、本発明は、装飾品部が軸本体の一端に固定されるピアス軸において、軸本体は、チタンまたはチタン合金からなると共に、軸本体の一端近傍の周面にピアス軸の中心に向かって凹む溝を有し、装飾品部は、軸本体の一端の端面を覆うキャップ状に形成された貴金属で構成され、溝に沿ってその外側から外力を加えられることにより変形し、軸本体にカシメ固定された部材であることを特徴としている。
【０００９】
上述の発明によれば、キャップ状に形成された貴金属を装飾品部として用い、この装飾品部を軸に形成された溝に対して外力によってカシメ固定するため、装飾品部が軸に対して強固に固定される。したがって、抜け落ちる可能性が低くなる。しかも、デザイン的に見て、装飾品部の材質を貴金属とし、かつ軸方向における寸法を長くする必要がないため、見た目上もすっきり、かつ見栄えの良いものとなる。
【００１０】
また、他の発明は、上述のピアス軸において、軸本体の一端にカシメ固定された装飾品部に、さらに金ろう付けにより装飾品が取り付けられることを特徴としている。このように金ろう付けを行っても、カシメにより装飾品部の軸本体への固定が強固なため、装飾品部が軸から抜ける虞がない。
【００１１】
【発明の実施の形態】
以下、本発明に係るピアス軸の実施の形態を、図面に基づいて詳細に説明する。
【００１２】
図１は、本発明のピアス軸の平面図である。図２は、図１のピアス軸を分解した状態で示した平面図である。ピアス軸１は、チタンまたはチタン合金からなる軸本体２と、この軸本体２の一端の端面を覆うようにカシメ固定されたキャップ状の貴金属製の装飾品部３から構成される。
【００１３】
軸本体２は、ピアシング（孔を開けること）された耳等の身体の一部に挿通される部位である。この軸本体２が、チタンまたはチタン合金のうちのいずれかで形成されていると、いわゆる金属アレルギーが発生しにくい。
【００１４】
図１及び図２に示すように、装飾品部３が取り付けられる軸本体２の一端近傍の周面には、軸中心に向かって凹む溝４が形成されている。この溝４は、装飾品部３の抜け止めのための部位である。この溝４の深さの寸法は、約０．１ｍｍである。
【００１５】
軸本体２の他端は、当該ピアス軸１が耳朶から外れないようにするための留め具（図示省略）を挿通しやすいように、湾曲部５が形成されている。この軸本体２の湾曲部５がある側の端部は、耳朶の孔に挿入する際の先頭部分となると共に、留め具を出し入れする先端部位となる。
【００１６】
軸本体２の湾曲部５の近傍には、周方向の全周にわたり、深さ約０．０４ｍｍの凹状の溝部６が２つ形成されている。これらの溝部６は、湾曲部５側から挿入される留め具の外れ防止用の部位として形成されたものである。なお、この溝部６は、必ずしも、形成されなくても良い。
【００１７】
装飾品部３は、軸本体２の一端の端面を覆うキャップ状に形成された貴金属で構成されている。この実施の形態では、装飾品部３は金製である。この装飾品部３は、例えば、ダイヤモンドやアクアマリン等の宝石、または金や銀やプラチナ等の貴金属等、各種材料及び各種装飾が施された装飾品（図示省略）を固定するためのホルダーとしても良いし、あるいは装飾品部３自体に何らかのデザインが施され、当該装飾品部３自体が装飾物となっていても良い。以下の説明では、装飾品部３に、さらに装飾品が取り付けられるものとする。
【００１８】
図１及び図２に示すように、装飾品部３は、内部に有底の孔７を有している。装飾品部３は、この孔７内に軸本体２を挿入することにより、軸本体２の一端に被せられる。そして、装飾品部３は、軸本体２に被せられた状態で、軸本体２の溝４に沿ってその外側から外力を加えられることにより塑性変形する。これにより、装飾品部３の変形した部分が、軸本体２の溝４の内部に、約０．０３〜０．０５ｍｍだけくい込み、装飾品部３が軸本体４にカシメ固定される。このカシメ固定の方法は、具体的には、装飾品部３の溝４と対向している部分の外側から約５〜６ｋｇ／ｃｍ２の押圧力で治具を圧接させながら、軸本体２及び装飾品部３を回転させることにより行われるものである。
【００１９】
この結果、装飾品部３は、軸本体２の端部にキャップ状に被せられた状態で、かつ軸本体２の端部から抜け止めがなされた状態で保持される。すなわち、キャップ状の装飾品部３の塑性変形部分が、軸本体２の溝４内にくい込むため、抜け止めとなる。本実施の形態では、このように装飾品部３が軸本体２の端部に取り付けられた状態で、さらに装飾品部３に装飾品を金ろう付けする。このとき、装飾品と装飾品部３との接合部位は、約８００度以上に加熱されるが、上述したように、装飾品部３は抜け止めされた状態で軸本体２に保持されているため、装飾品部３が軸本体２から抜けない。このように、本発明のピアス軸は、装飾品部３と軸本体２との固定強度が高く、装飾品部３が金ろう付けする際にも軸本体２からの抜けが生じないものである。
【００２０】
なお、上述の実施の形態は、本発明の好適な実施の形態の例であるが、これに限定されるものではなく、本発明の要旨を逸脱しない範囲において種々変形実施可能である。例えば、上述の実施の形態では、軸本体２にカシメ固定された装飾品部３に、さらに装飾品を金ろう付けしているが、装飾品の固定方法は金ろう付け以外の方法、例えば、接着または熱圧着等でも良い。
【００２１】
また、上述した溝４の深さ、及び装飾品部３の溝４内へのくい込みの深さは、上述した寸法でなくても良く、溝４の深さはもっと深くても、あるいは浅くても良い。
【００２２】
【発明の効果】
以上説明したように、本発明によれば、装飾品としてデザイン、寸法あるいは材質等の設計的な制約を受けることなく、金等の貴金属を、チタンまたはチタン合金で構成された軸の端部に、抜け止め防止可能に良好に固定することができる。
【図面の簡単な説明】
【図１】本発明の実施の形態のピアス軸の平面図である。
【図２】図１のピアス軸を分解して示した平面図である。
【符号の説明】
１　ピアス軸
２　軸本体
３　装飾品部
４　溝
５　湾曲部
６　溝部
７　孔
【図１】
2004097329.tif 000003
【図２】
2004097329.tif 000004